(57)【要約】【課題】室内側から観察される照明装置の外観寸法を抑えてすっきりした室内空間を付与できる照明装置の取り付け構造を提供する。【解決手段】長辺側の一側面が光の入射面２ａとなりこの入射面２ａとは反対側の一側面が照明光として出射する発光面２ｂとなる長尺な導光材２とこの導光材２の入射面２ａ側に設けられる光源１１を有する光源ユニット１０とを備えた照明装置１が隣り合う天井材２０の間に取り付けられる。照明装置１が取り付けられる天井材２の側端部２１ａには天井裏面側に突出する保持片２２が形成されており、隣り合う天井材２０の保持片２２の間に照明装置１の導光材２が挟持される。保持片２２及び導光材２を貫通する第１の固着具３０によって照明装置１が保持片２２に取り付けられる。【選択図】図１
2011233240.tif 000002
【特許請求の範囲】
【請求項１】
長辺側の一側面が光の入射面となりこの入射面とは反対側の一側面が照明光として出射する発光面となる長尺な導光材とこの導光材の入射面側に設けられる光源を有する光源ユニットとを備えた照明装置が隣り合う天井材の間に取り付けられる照明装置の取り付け構造であって、前記照明装置が取り付けられる前記天井材の側端部には天井裏面側に突出する保持片が形成されており、隣り合う前記天井材の保持片の間に前記照明装置の導光材が挟持され、前記保持片及び前記導光材を貫通する第１の固着具によって前記照明装置が前記保持片に取り付けられることを特徴とする照明装置の取り付け構造。
【請求項２】
前記保持片と前記導光材との間に板状の補強部材が配設され、前記保持片、前記補強部材及び前記導光材を貫通する第１の固着具によって前記照明装置及び前記補強部材が前記保持片に取り付けられることを特徴とする請求項１に記載の照明装置の取り付け構造。
【請求項３】
前記光源ユニットは、下端部に、下方に突出し前記保持片の外側面部に当接する一対の平板状の取付片を有しており、この一対の取付片の間に前記保持片、前記補強部材及び前記導光材が挟持され、前記保持片、前記補強部材、前記導光材及び取付片を貫通する第１の固着具によって前記照明装置及び前記補強部材が前記保持片に取り付けられることを特徴とする請求項２に記載の照明装置の取り付け構造。
【請求項４】
前記補強部材は、上端部に、外方に突出し前記保持片の先端部に引っ掛かる平板状の係止片を有し、前記光源ユニットは、下端部に、前記係止片に当接する平板状のフランジ部を有しており、前記係止片に前記フランジ部が当接して前記光源ユニットが前記補強部材にに載置され、前記フランジ部と前記係止片とが第２の固着具によって固定されて前記光源ユニットが前記補強部材に取り付けられることを特徴とする請求項２に記載の照明装置の取り付け構造。
【請求項５】
前記導光材の入射面側に複数の光源が長手方向に離間して配置されている照明装置が、複数の第１の固着具によって前記保持片に取り付けられており、その第１の固着具の各々の固定位置が、天井裏面側から見て隣接する光源と光源との間の領域にあることを特徴とする請求項１から４のいずれか一項に記載の照明装置の取り付け構造。
【発明の詳細な説明】
【技術分野】
【０００１】
本発明は、照明装置の取り付け構造に関する。
【背景技術】
【０００２】
天井に設置される照明はダウンライトやシーリングライト等の器具型照明が一般的である。これらの器具型照明は天井面より突出されている場合が多く、あまり室内空間の外観が考慮されていない。そこで、浴室などの照明演出効果を高め入浴などの楽しみを高める機能的な器具型照明の取り付け構造が提案されている（特許文献１参照）。具体的には、側面視Ｌ字状で下方に開口した複数の照明ボックスを天井に縦部側と横部側とで接続させて取り付け、各照明ボックスの縦部内に照明灯を配設するとともに照明ボックスの下方開口にルーバを取り付けている。この器具型照明の取り付け構造では、ルーバと天井面が面一であるためすっきりした室内空間が実現される。また、縦部と横部とで陰影を形成でき、多様な照明効果を演出することができる。
【先行技術文献】
【特許文献】
【０００３】
【特許文献１】実開昭６１−１７８２１５号公報
【発明の概要】
【発明が解決しようとする課題】
【０００４】
しかしながら、上記器具型照明の取り付け構造では、室内側から照明灯を取り付けるように構成されているため、室内側から観察される照明ボックスの下方開口やそれに取り付けるルーバの外観寸法が大きくなりそれに伴う見栄えの低下が懸念される。
【０００５】
本発明は、以上の通りの事情に鑑みてなされたものであり、室内側から観察される照明装置の外観寸法を抑えてすっきりした室内空間を付与できる照明装置の取り付け構造を提供することを課題としている。
【課題を解決するための手段】
【０００６】
上記の課題を解決するために、本発明の照明装置の取り付け構造は、以下のことを特徴としている。
【０００７】
すなわち、本発明においては、長辺側の一側面が光の入射面となりこの入射面とは反対側の一側面が照明光として出射する発光面となる長尺な導光材とこの導光材の入射面側に設けられる光源を有する光源ユニットとを備えた照明装置が隣り合う天井材の間に取り付けられる。照明装置が取り付けられる天井材の側端部には天井裏面側に突出する保持片が形成されており、隣り合う前記天井材の保持片の間に照明装置の導光材が挟持され、保持片及び導光材を貫通する第１の固着具によって照明装置が保持片に取り付けられる。
【０００８】
この照明装置の取り付け構造においては、保持片と前記導光材との間に板状の補強部材が配設され、保持片、補強部材及び導光材を貫通する第１の固着具によって照明装置及び補強部材が保持片に取り付けられることが好ましい。
【０００９】
また、本発明の照明装置の取り付け構造においては、光源ユニットは、下端部に、下方に突出し保持片の外側面部に当接する一対の平板状の取付片を有していることが好ましい。そして、この一対の取付片の間に保持片、補強部材及び導光材が挟持され、保持片、補強部材、導光材及び取付片を貫通する第１の固着具によって照明装置及び補強部材が保持片に取り付けられることが好ましい。
【００１０】
そして、本発明の照明装置の取り付け構造においては、補強部材は、上端部に、外方に突出し保持片の先端部に引っ掛かる平板状の係止片を有し、光源ユニットは、下端部に、係止片に当接する平板状のフランジ部を有していることが好ましい。そして、係止片にフランジ部が当接して光源ユニットが補強部材に載置され、フランジ部と係止片とが第２の固着具によって固定されて光源ユニットが補強部材に取り付けられることが好ましい。
【００１１】
さらに本発明の照明装置の取り付け構造においては、前記導光材の入射面側に複数の光源が長手方向に離間して配置されている照明装置が、複数の第１の固着具によって前記保持片に取り付けられていることが好ましい。そして、その第１の固着具の各々の固定位置が、天井裏面側から見て隣接する光源と光源との間の領域にあることが好ましい。
【発明の効果】
【００１２】
本発明の照明装置の取り付け構造においては、導光材の入射面側に光源ユニットが設けられ、隣り合う天井材の保持片の間に導光材が取り付けられるので、室内側から観察される照明装置の外観寸法を抑えることができ、すっきりした室内空間を付与できる。
【図面の簡単な説明】
【００１３】
【図１】（ａ）は本発明の照明装置の取り付け構造の一実施形態を示す斜視図であり、（ｂ）は（ａ）のＡ−Ａ線断面図である。
【図２】図１(ａ)のＢ−Ｂ線断面図である。
【図３】照明装置の取り付けを説明する説明図であり、（ａ）は照明装置を天井材に装着する前の斜視図であり、（ｂ）は照明装置を天井材に装着した後の斜視図である。
【図４】本発明の照明装置の取り付け構造の別の一実施形態を示した隣接する天井材の間に取り付けられた照明装置の断面図である。
【発明を実施するための形態】
【００１４】
以下、図面を参照して本発明の実施形態を説明する。
【００１５】
図１（ａ）は、本発明の照明装置の取り付け構造の一実施形態を示す斜視図であり、図１（ｂ）は、図１（ａ）のＡ−Ａ線断面図である。図２は、図１(ａ)のＢ−Ｂ線断面図である。図３は、照明装置の取り付けを説明する説明図であり、（ａ）は照明装置を天井材に装着する前の斜視図であり、（ｂ）は照明装置を天井材に装着した後の斜視図である。
【００１６】
天井材２０は、浴室ユニット等の天井の構成部材であり、本実施形態では２枚の天井材２０で浴室ユニット４０の天井が構成されている。天井材２０は、鋼板やアルミニウム板のような金属または合成樹脂などにより矩形状に形成され、下面が浴室内に露出する面板部２１の４側端部（４辺）２１ａの一つに天井裏面側（上側）に向かって突出する平板状の保持片２２が全長にわたって一体に形成されている。この保持片２２の上下方向の長さ（高さ）は、照明装置１を構成する導光材２の上下方向の長さ（高さ）と略一致するように形成されている。保持片２２には長手方向の２箇所に貫通孔２５が設けられている。２枚の天井材２０のうち一方の天井材２０には、点検蓋２３を着脱自在に取り付け可能な点検口２４が設けられている。２枚の天井材２０は、保持片２２が対向するようにそれぞれ配置され、この保持片２２に照明装置１が取り付けられる。
【００１７】
照明装置１は、例えば、線状に光るライン照明であり、天井材２０の１辺の長さと略一致する長さを有する長尺な直方体形状の導光材２と、この導光材２に光を出射する複数の光源ユニット１０とを備えている。光源ユニット１０は単数でもよい。
【００１８】
導光材２は、アクリル樹脂やポリカーボネート樹脂等の合成樹脂、ガラス等の透光性を有し屈折率の高い部材で構成され、長辺側の一側面に光の入射面２ａが形成され、この入射面２ａとは反対側の一側面に浴室空間の照明光として光を出射する発光面２ｂが形成されている。また、この導光材２には、入射面２ａと発光面２ｂを形成する一対の一側面とは別の長辺側の一対の一側面において、その一側面間を貫通する固定穴３が長手方向の２箇所に設けられている。この固定穴３は、後述する光源からの光の影響をあまり受けないような場所に設けられることが考慮される。
【００１９】
光源ユニット１０は、ＬＥＤ等の光源１１と、基板１２と、この基板１２を覆うケース体１３から構成され、導光材２の入射面２ａ側に取り外し可能に設けられている。本実施形態では、複数の光源ユニット１０が導光材２の長手方向全域に連続して並設されているが、離間して配置することもできるし、単数の光源ユニット１０を長手方向全域または局所的に配置することもできる。
【００２０】
光源１１は基板１２に単数または複数搭載されており、この光源１１が導光材２の入射面２ａに対向して配置されるようにケース体１３に基板１２が装着されている。基板１２は導光材２の長手方向に沿うように帯状に形成されている。本実施形態では、複数の光源１１が基板１２の長手方向に離間して配置されている。ケース体１３は、下方に開口する直方体形状を有しており、その内部に、光源１１を搭載した基板１２を装着した状態で導光材２の上に載置されて取り付けられる。ケース体１３の下端部１３ａには、長辺両側に、対向する一対の取付片１４が下方に突出して形成されている。取付片１４は平板状であり、ケース体１３の長手方向全長にわたって形成されている。この対向する一対の取付片１４には、保持片２２の貫通孔２５及び導光材２の固定穴３に対応する貫通穴１５が設けられている。
【００２１】
上記のような構成の照明装置１は、浴室ユニット４０の壁を構成する複数の壁パネル４２への天井材２０の取り付け施工時に取り付けられる。
【００２２】
浴室ユニット４０は、一般的には、防水パン、浴槽４１、壁パネル４２、天井材２０を現場で組み立てて構成される。例えば、防水パンの外端部の立ち上がりの上部に壁パネル載置部を形成し、この壁パネル載置部の上に複数の壁パネル４２を載置する。次いで、壁パネル４２で囲まれる空間の上部開口４３を天井材２０で塞ぐように壁パネル４２の上に取り付けて浴室ユニット４０を組み立てているが、本実施形態では天井材２０の取り付け施工時に照明装置１を取り付けている。
【００２３】
すなわち、２枚の天井材２０のうち1枚目の天井材２０を、保持片２２が形成されていない３側端部２１ａと壁パネル４２の上端部４２ａとが一致するように配置して取り付ける。次に、1枚目の天井材２０の保持片２２に対向させるとともに発光面２ｂが浴室に臨むように、対向する一対の壁パネル４２の上に導光材２を配置する。このとき、導光材２は、その両端部が一対の壁パネル４２に支持されて浴室に架け渡されたような状態となる。また、発光面２ｂが天井材２０の面板部２１と略同一面上（面一）になっている。
【００２４】
次に、２枚目の天井材２０をその保持片２２が導光材２に当接するようにして壁パネル４２に取り付ける。これによって、導光材２は対向する保持片２２の間に挟持され（仮固定の状態）、浴室の壁パネル４２で囲まれる空間の上部開口４３は２枚の天井材２０と導光材２とで閉塞される。
【００２５】
このとき、２枚の天井材２０の保持片２２と導光材２の間に一対の平板状の補強部材５を必要に応じて介在させることができる。本実施形態では、補強部材５を介在させている。補強部材５は、その外形寸法が導光材２の外形寸法と略一致する形状を有し、鋼板や鉄板等の金属、合成樹脂等の剛性部材で構成されており、照明装置１の設置に伴う天井材２０の撓みを抑えるために天井材２０の強度を補強するものとして設けられる。このため、天井材２０がほとんど撓まない場合や撓みが軽微である場合には補強部材５を介在させなくてもよい。この補強部材５には、導光材２の固定穴３に対応する貫通穴６が設けられている。
【００２６】
次に、壁パネル４２で囲まれる浴室ユニット４０の内部から天井材２０の点検口２４を通じて、光源ユニット１０を導光材２の上に取り付ける。このとき、ケース体１３は導光材２の上に載置され、ケース体１３の一対の取付片１４の間に、補強部材５を介して導光材２を挟持する保持片２２が挟み込まれる。ケース体１３の取付片１４の貫通穴１５が導光材２の固定穴３及び補強部材５の貫通穴６に一致するように、光源ユニット１０が取り付けられる。
【００２７】
次に、ボルト３１、ナット３２のような第１の固着具３０を用いて仮固定の状態の導光材２を保持片２２に固定するとともに導光材２の上に光源ユニット１０を固定する。具体的には、浴室ユニット４０の内部から天井材２０の点検口２４を通じて、保持片２２の貫通孔２５、取付片１４の貫通穴１５、補強部材５の貫通穴６及び導光材２の固定穴３にボルト３１を挿通してナット３２で締結する。これによって、導光材２の保持片２２への固定と光源ユニット１０の固定とをそれぞれ個別に行うことなく同時に行うことができる。また部品点数の削減、作業性の向上等の利点も有する。
【００２８】
第１の固着具３０の固定位置、すなわち、導光材２の固定穴３の位置は、上述したように光源１１からの光の影響をあまり受けないような場所に設けられることが考慮される。例えば、本実施形態のように、導光材２の入射面２ａ側に複数の光源１１が長手方向に離間して配置されているような場合、天井裏面側から見て隣接する光源１１と光源１１との間の領域に固定穴３を設けることが好ましい。特に、天井裏面側から見て隣接する光源１１間の中間の位置であり、かつ導光材２の上下方向の中間の位置若しくはそれよりも上側の位置が、光源１１からの光の影響を受けにくく好ましい位置である。
【００２９】
導光材２の入射面２ａ側に複数の光源１１が離間して配置されていると、導光材２の発光面２ｂ全域において明るさが不均一になる場合がある。例えば、浴室内から照明装置１を直視すると、光源ユニット１０の光源１１が長手方向に点状に観察され、見栄えに影響する。そこで、Ｖ字断面の山部及び谷部が交互に連続して構成されるプリズムパターン等の拡散パターン４を導光材２の入射面２ａまたは発光面２ｂに形成してもよい。これによって、光を屈折、反射させて発光面２ｂ全域を均一な明るさにすることができ、見栄えを向上させることができる。本実施形態では、発光面２ｂに拡散パターン４が形成されている。また、導光材２の発光面２ｂを覆う透明樹脂製のカバーを配設しその表面に拡散パターンを形成するようにしても、上記と同様な効果が得られ、見栄えが向上する。カバーは照明装置の防水に有効である。また、レンズ等の光学機能をカバーに付与することもできる。
【００３０】
このように天井材２０に取り付けられた照明装置１は、導光材２の入射面２ａ側に光源ユニット１０が設けられ、隣り合う天井材２０の保持片２２の間に導光材２が取り付けられている。浴室側から観察されるのは照明装置１の導光材２の発光面２ｂである。光源ユニット１０の形状や大きさに影響されることなく導光材２の幅Ｄを細くすることが可能である。このため、特許文献１のように室内側から照明灯を取り付ける構成と比べて浴室側から観察される照明装置１の外観寸法を抑えることができ、すっきりした室内空間を付与できるなど意匠性を向上させることができる。また、導光材２の発光面２ｂが天井材２０の面板部２１と同一面上になるように導光材２を天井材２０に取り付けることも可能であり、よりすっきりした室内空間を付与し、消灯時等の意匠性を向上させることができる。さらに、光源ユニット１０を容易に交換、点検できるなどメンテナンス性に優れる。
【００３１】
図４は、本発明の照明装置の取り付け構造の別の一実施形態を示した隣接する天井材の間に取り付けられた照明装置の断面図である。なお、図１−３に示した部分と同一の部分については同じ符号を付し、説明を省略する。
【００３２】
本実施形態では、天井材２０の保持片２２と照明装置１の導光材２との間に介在される補強部材５の上端部５ａに、外方に向かって突出する平板状の係止片７が一体に形成されており、補強部材５は断面視略Ｌ字形状を有している。この係止片７は、補強部材５の長手方向全長にわたって形成されており、その下面が保持片２２の先端部２２ａに当接して引っ掛かるようになっており、上面には、後述するフランジ部１６が当接してケース体１３が載置されるようになっている。
【００３３】
また、光源ユニット１０のケース体１３の下端部１３ａには、長辺両側に、外方に向かって突出する平板状のフランジ部１６が一体に形成されている。フランジ部１６は、ケース体１３の長手方向全長にわたって形成されている。
【００３４】
保持片２２に挟持された導光材２の上への光源ユニット１０の取り付けは、浴室ユニット４０の内部から天井材２０の点検口２４を通じて行われ、フランジ部１６が係止片７の上面に当接してケース体１３が補強部材５の上に載置される。このように載置された状態でボルト３４、ナット３５のような第２の固着具３３を用いてフランジ部１６と係止片７とを固定する。具体的には、フランジ部１６及び係止片７ともに上下方向に貫通する貫通孔１７，８が設けられており、この貫通孔１７，８にボルト３４を挿通してナット３５で締結する。これによってフランジ部１６と係止片７とが固定され、光源ユニット１０が補強部材５に取り付けられる。また、保持片２２の貫通孔２５、補強部材５の貫通穴６及び導光材２の固定穴３にボルト３１を挿通してナット３２で締結するなどして補強部材５が第１の固着具３０によって保持片２２に取り付けられる。よって、光源ユニット１０は、補強部材５を介して保持片２２に取り付けられている。本実施形態では、補強部材５に係止片７が形成され、ケース体１３にフランジ部１６が形成されることにより、ケース体１３と補強部材５との接触面積が大きくなり、光源ユニット１０の載置が容易になる。また、光源ユニット１０の設置安定性も向上する。
【００３５】
以上、実施形態に基づき本発明を説明したが、本発明は上記の実施形態に何ら限定されるものではなく、その要旨を逸脱しない範囲内において各種の変更が可能である。例えば、上記実施形態では、天井材の１辺の長さと略一致する長さを有する長尺な導光材が用いられているが、その長手方向に複数分割された導光材が用いられてもよい。この場合、２枚目の天井材を壁パネルに取り付けた後に隣り合う天井材の保持片の間に分割した導光材を配設できる。
【符号の説明】
【００３６】
１  照明装置
２  導光材
２ａ  入射面
２ｂ  発光面
５  補強部材
５ａ  上端部
７  係止片
１０  光源ユニット
１１  光源
１４  取付片
１６  フランジ部
２０  天井材
２２  保持片
２２ａ  先端部
３０  第１の固着具
３３  第２の固着具
【図１】
2011233240.tif 000003
【図２】
2011233240.tif 000004
【図３】
2011233240.tif 000005
【図４】
2011233240.tif 000006